(57)【要約】【課題】エンジン電源、コントローラ電源、ＨＤＤ電源を独立して制御し、各モードの各デバイス使用状況に応じて最適な電源供給を行うことで更なる低消費電力を実現することを目的とする。【解決手段】エンジンインターフェースによりエンジンと接続し、ＣＰＵインターフェースによりＣＰＵと接続し、ハードディスクインターフェースによりハードディスクと接続し、ホストインターフェースによりホストコンピュータと接続し、プリンタエンジンインターフェースによりプリンタエンジンと接続し、スキャナインターフェースによりスキャナと接続するプリンタシステムであって、前記エンジンの電源と、前記ＣＰＵの電源と、前記ハードディスクの電源と、前記ホストコンピュータの電源と、前記プリンタエンジンの電源と、前記スキャナエンジンの電源とを独立して制御する制御手段を有する。【選択図】        図１
2004152190.tif 000002
【特許請求の範囲】
【請求項１】
エンジンインターフェースによりエンジンと接続し、
ＣＰＵインターフェースによりＣＰＵと接続し、
ハードディスクインターフェースによりハードディスクと接続し、
ホストインターフェースによりホストコンピュータと接続し、
プリンタエンジンインターフェースによりプリンタエンジンと接続し、
スキャナインターフェースによりスキャナと接続するプリンタシステムであって、
前記エンジンの電源と、
前記ＣＰＵの電源と、
前記ハードディスクの電源と、
前記ホストコンピュータの電源と
前記プリンタエンジンの電源と、
前記スキャナエンジンの電源とを独立して制御する制御手段を有することを特徴とするプリンタシステム。
【請求項２】
前記制御手段は、ハードディスクのデータにアクセスする場合に、必要最低限の電源のみに電源供給を行う手段を有することを特徴とする請求項１記載のプリンタシステム。
【請求項３】
前記ハードディスクの電源を供給するか否かを検知する検知手段を有し、
省エネルギーモードの場合に、前記検知手段により前記ハードディスクに接続すると検知した場合は、
必要最低限の立ち上がりシーケンスのみを行うことを特徴とする請求項１または２記載のプリンタシステム。
【請求項４】
印字動作時に前記ハードディスクを使用しない場合は、前記ハードディスクへの電源供給を停止することを特徴とする請求項３記載のプリンタシステム。
【発明の詳細な説明】
【０００１】
【発明の属する技術分野】
本発明は、ハードディスクを有するプリンタシステムに関し、特に省エネルギーモードを有するプリンタシステムに関する。
【０００２】
【従来の技術】
従来より、画像データのプリントを行うデジタル複写機等のプリンタ装置では、プリント動作を行っていない待機状態でも、電力が比較的大きいので、予め設定した待機時間を超えると、無駄な電力消費の発生を防止する省エネルギーモードを設定する装置が提供されている。省エネモード時の消費電力をさらに押さえるための技術として、特許文献１記載の発明では、必要最低限の制御デバイスのみを動作させておくことで省エネモード時の消費電力を低くする技術が開示されている。
【０００３】
【特許文献１】
特開２００１−１９１６１６号公報
【０００４】
【発明が解決しようとする課題】
しかし、特許文献１記載の技術は、省エネモード時に必要なデバイスのみ電源を供給することで不要なデバイスの電源供給を止めることはできるが、必要なデバイスの内部全体に電源供給されてしまい、デバイス内部の不必要な回路まで電源が供給されてしまう。また、ＨＤＤ（ハードディスク）を独立して電源制御する方法にはふれておらず、ＨＤＤのみにアクセスするモードや逆にＨＤＤを使用しない印字モード時の制御において適切に省エネ制御されていなかった。
【０００５】
本発明は、上記事情に鑑みてなされたものであり、エンジン電源、コントローラ電源、ＨＤＤ電源を独立して制御し、各モードの各デバイス使用状況に応じて最適な電源供給を行うことで更なる低消費電力を実現することを目的とする。
【０００６】
【課題を解決するための手段】
上記目的を達成するために、請求項１記載の発明は、エンジンインターフェースによりエンジンと接続し、ＣＰＵインターフェースによりＣＰＵと接続し、ハードディスクインターフェースによりハードディスクと接続し、ホストインターフェースによりホストコンピュータと接続し、プリンタエンジンインターフェースによりプリンタエンジンと接続し、スキャナインターフェースによりスキャナと接続するプリンタシステムであって、前記エンジンの電源と、前記ＣＰＵの電源と、前記ハードディスクの電源と、前記ホストコンピュータの電源と、前記プリンタエンジンの電源と、前記スキャナエンジンの電源とを独立して制御する制御手段を有することを特徴としている。
【０００７】
請求項２記載の発明は、請求項１記載の発明において、前記制御手段は、ハードディスクのデータにアクセスする場合に、必要最低限の電源のみに電源供給を行う手段を有することを特徴としている。
【０００８】
請求項３記載の発明は、請求項１または２記載の発明において、前記ハードディスクの電源を供給するか否かを検知する検知手段を有し、省エネルギーモードの場合に、前記検知手段により前記ハードディスクに接続すると検知した場合は、必要最低限の立ち上がりシーケンスのみを行うことを特徴としている。
【０００９】
請求項４記載の発明は、請求項２記載の発明において、印字動作時に前記ハードディスクを使用しない場合は、前記ハードディスクへの電源供給を停止することを特徴としている。
【００１０】
【発明の実施の形態】
以下、本発明の実施の形態を添付図面を参照しながら詳細に説明する。
【００１１】
図１は、本発明のプリンタシステムの一構成例を示すブロック図である。図１は、ＣＰＵ１と、プリンタエンジンＩ／Ｆ２と、スキャナエンジンＩ／Ｆ３と、ＡＳＩＣ４と、メインメモリ５と、１０／１００Ｂａｓｅ‐ＴＸ  Ｉ／Ｆ６と、ホストＰＣ７と、ＨＤＤ  Ｉ／Ｆ８と、ＨＤＤ９と、Ｐｏｗｅｒ  Ｓｕｐｐｌｙ
Ｃｏｎｔｒｏｌ１０とを有し構成されている。
【００１２】
ＣＰＵ１は、複合機に搭載されるコントローラのＣＰＵである。高速なＣＰＵを使用しており、動作時は主にこのメインＣＰＵが制御を行う。プリンタエンジンＩ／Ｆ２は、その先に      装置のプリントエンジンが接続されている。スキャナエンジンＩ／Ｆ３は、その先に複合機のスキャンエンジンが接続されている。コントローラ制御ＡＳＩＣ４は、コントローラの主に画像処理系の制御を行っており、ＣＰＵ  Ｉ／Ｆ、エンジンＩ／Ｆ、メモリコントローラを内蔵している。
【００１３】
メインメモリ５は、動作時はファームウェアをメインメモリ上に展開され、メモリ上で実行される。また、印字画像をこのメモリ領域にビットマップ展開する為、大容量のメモリが搭載される。メインメモリも高速動作する。１０／１００Ｂａｓｅ‐ＴＸ  Ｉ／Ｆ６は、ホストＰＣ７等とイーサネット接続する為のＩ／Ｆ回路となっている。ＨＤＤ  Ｉ／Ｆ８は、ＨＤＤ９が接続される。ＨＤＤ９には主に画像データが蓄積され、その他にもログやフォントデータなどの情報が蓄積される。Ｐｏｗｅｒ  Ｓｕｐｐｌｙ  Ｃｏｎｔｒｏｌ１０は、エンジン、コントローラ、ＨＤＤ９の電源供給を制御する回路であり、各モードおよび各デバイスの使用状況に合わせた最適な電源供給を行っている。
【００１４】
図２は、本発明の処理動作を示すフローチャートである。まず、装置の電源が投入されると装置のイニシャライズが行われ（ステップＳ１）、正常に設定がされると待機状態に移行し、ＨＤＤ電源が遮断される（ステップＳ２）。その後、印字動作が入ると印字動作を行うが（ステップＳ３）、印字画像のビットマップ展開時にに両面コピーや電子ソート等で印字画像データ量が大きくて実装メインメモリだけでは足りない場合にはＨＤＤを使用すると判断し（ステップＳ４でＹｅｓ）、ＨＤＤ電源を供給する（ステップＳ５）。印字動作が開始され（ステップＳ６）、省エネモードに移行するフラグが立つと（ステップＳ７でＹｅｓ）、ＨＤＤ電源およびエンジン電源を遮断し、省エネモードに移行する（ステップＳ８）。省エネ移行時にイーサネット等のＩ／ＦでホストＰＣよりＨＤＤにアクセスする命令が有ると（ステップＳ９でＹｅｓ）、モードを判断して従来は装置全てを立ち上げてイニシャライズしていたが、本発明では周辺装置のフォーミングは行わず、コントローラおよびＨＤＤ電源のみを起動することでＨＤＤへのアクセスを可能とし（ステップＳ１０）、アクセス動作が終了すると再び省エネモードに移行する仕組みとなっている。
【００１５】
【発明の効果】
以上の説明から明らかなように、本発明によれば、各モードの各デバイス動作状況に応じた電源供給を行うことができ、更なる省エネ化を図ることができる。
【００１６】
また、本発明によれば、ＨＤＤアクセスのみの立ち上げシーケンス、電源供給を最適に行うことができ、更なる省エネ化を図ることができる。
【００１７】
また、本発明によれば、印字動作時のＨＤＤ使用状況を確認して電源供給の制御を行うことができ、更なる省エネ化を図ることができる。
【図面の簡単な説明】
【図１】本発明のプリンタシステムの一構成例を示すブロック図である。
【図２】本発明の処理動作を示すフローチャートである。
【符号の説明】
１  ＣＰＵ
２  プリンタエンジンＩ／Ｆ
３  スキャナエンジンＩ／Ｆ３
４  ＡＳＩＣ
５  メインメモリ
６  １０／１００Ｂａｓｅ‐ＴＸ  Ｉ／Ｆ
７  ホストＰＣ
８  ＨＤＤ  Ｉ／Ｆ
９  ＨＤＤ
１０  Ｐｏｗｅｒ  Ｓｕｐｐｌｙ  Ｃｏｎｔｒｏｌ
【図１】
2004152190.tif 000003
【図２】
2004152190.tif 000004